(57)【要約】【課題】球検出器が電気的な球検出動作を電波または光による無線で行えるようにした。【解決手段】取付躯体２が遊技盤３５に止ねじ３７で取り付けられ、検出躯体３が取付躯体２に取り付けられ、検出孔１３が遊技盤３５の前面である遊技領域４３より前側に突出し、検出躯体３の後部が遊技盤３５の裏面から裏側に突出し、検出躯体３に電源２８を有する電源躯体４が取り付けられると、検出素子１４と信号送信部１５とが電源２８からの電力で駆動し、球が遊技領域４３から検出孔１３を通過すると、検出素子１４が電気的な検出信号を信号送信部１５に出力し、信号送信部１５が検出信号を電波による無線信号としてアンテナ２０から放出孔２１を経由して遊技盤３５の裏面における検出躯体３の外部に放射する。【選択図】図１
2006087613.tif 000002
【特許請求の範囲】
【請求項１】
遊技盤の遊技領域に取り付けられる合成樹脂からなる取付躯体と、遊技盤の遊技領域と裏面とにわたって貫通して取付躯体に取り付けられる合成樹脂からなる検出躯体と、検出躯体の遊技領域から前側に突出した前部に上下方向に貫通して形成された検出孔と、検出躯体の内部に設けられて検出孔を通過する球を電気的に検出する検出素子と、検出躯体の内部に設けられて検出素子から出力された電気的な検出信号を無線信号として放射する信号送信部と、検出素子に球を検出するための電力を供給するとともに信号送信部に検出信号を無線信号として放射するための電力を供給するように検出躯体に設けられた電源とを備えたことを特徴とするパチンコ機の球検出器。
【請求項２】
遊技盤と、遊技盤に設けられた球検出器と、遊技盤を装着する遊技機枠とを備え、遊技盤の遊技領域に取り付けられる合成樹脂からなる取付躯体と、遊技盤の遊技領域と裏面とにわたって貫通して取付躯体に取り付けられる合成樹脂からなる検出躯体と、検出躯体の遊技領域から前側に突出した前部に上下方向に貫通して形成された検出孔と、検出躯体の内部に設けられて検出孔を通過する球を電気的に検出する検出素子と、検出躯体の内部に設けられて検出素子から出力された電気的な検出信号を無線信号として放射する信号送信部と、検出素子に球を検出するための電力を供給するとともに信号送信部に検出信号を無線信号として放射するための電力を供給するように検出躯体に設けられた電源とを備えた構造であり、遊技盤の裏面または遊技機枠における遊技盤よりも裏側に位置する裏部には信号送信部から無線信号として放射された電気的な検出信号を受信する信号受信部が設けられたことを特徴とするパチンコ機。
【発明の詳細な説明】
【技術分野】
【０００１】
本発明は、球検出器が電気的な球検出動作を電波または光による無線で行えるパチンコ機の球検出器およびそれを使用したパチンコ機に関する。
【背景技術】
【０００２】
パチンコ機は、球検出器を有する入賞部品が遊技盤に設けられ、球検出器が遊技盤の遊技領域から入賞部品に入賞した球を電気的に検出して入賞信号を遊技盤の裏面または遊技盤を格納した遊技機枠の裏面に設けた制御装置に出力し、制御装置が入力した入賞信号に基づき球払出機構を制御し、球払出機構が賞球としての球を遊技機枠の前面に設けた皿装置に遊技者の球として払い出すようになっている。しかしながら、球検出器が制御装置と配線で接続されて電気的に球を検出する動作を行う構造であり、しかも、１台のパチンコ機において、球検出器が５個から１０個と多くの個数が使用されているため、配線の処理に多大な労力と時間を要するという欠点があった。
【特許文献１】特開２００２−１４８００３号公報
【特許文献２】特開２００４−７３３２０号公報
【発明の開示】
【発明が解決しようとする課題】
【０００３】
発明が解決しようとする問題点は、球検出器を制御装置に接続する配線処理が面倒であるという点である。
【課題を解決するための手段】
【０００４】
本発明に係るパチンコ機の球検出器は、遊技盤の遊技領域に取り付けられる合成樹脂からなる取付躯体と、遊技盤の遊技領域と裏面とにわたって貫通して取付躯体に取り付けられる合成樹脂からなる検出躯体と、検出躯体の遊技領域から前側に突出した前部に上下方向に貫通して形成された検出孔と、検出躯体の内部に設けられて検出孔を通過する球を電気的に検出する検出素子と、検出躯体の内部に設けられて検出素子から出力された電気的な検出信号を無線信号として放射する信号送信部と、検出素子に球を検出するための電力を供給するとともに信号送信部に検出信号を無線信号として放射するための電力を供給するように検出躯体に設けられた電源とを備えたことを最も主要な特徴とする。本発明に係るパチンコ機は、遊技盤と、遊技盤に設けられた球検出器と、遊技盤を装着する遊技機枠とを備え、遊技盤の遊技領域に取り付けられる合成樹脂からなる取付躯体と、遊技盤の遊技領域と裏面とにわたって貫通して取付躯体に取り付けられる合成樹脂からなる検出躯体と、検出躯体の遊技領域から前側に突出した前部に上下方向に貫通して形成された検出孔と、検出躯体の内部に設けられて検出孔を通過する球を電気的に検出する検出素子と、検出躯体の内部に設けられて検出素子から出力された電気的な検出信号を無線信号として放射する信号送信部と、検出素子に球を検出するための電力を供給するとともに信号送信部に検出信号を無線信号として放射するための電力を供給するように検出躯体に設けられた電源とを備えた構造であり、遊技盤の裏面または遊技機枠における遊技盤よりも裏側に位置する裏部には信号送信部から無線信号として放射された電気的な検出信号を受信する信号受信部が設けられたことを最も主要な特徴とする。
【発明の効果】
【０００５】
本発明に係るパチンコ機の球検出器は、検出躯体が取付躯体で遊技盤に取り付けられ、検出素子と信号送信部とが電源からの電力で駆動した状態において、球が検出孔を通過すると、検出素子が電気的な検出信号を信号送信部に出力し、信号送信部が検出信号を電波または光による無線信号として放射するので、配線が不要であるという利点がある。
【発明を実施するための最良の形態】
【０００６】
図１は、発明を実施するための最良の形態である。図１のａ図は、球検出器１を分解して示す。図１のｂ図は、球検出器１を遊技盤３５に取り付けた平面を示す。
【０００７】
図１のａ図を参照し、球検出器１の構造について説明する。球検出器１は、取付躯体２、検出躯体３、電源躯体４から構成される。図１の場合、取付躯体２は、通過形の入賞部品として使用される形態であって、合成樹脂により、方形板状の前壁６、前壁６の左右両縁から後方に平行に相対峙する方形板状の２つの側壁７、２つの側壁７から外側に個別に突出する取付足８、取付足８に前後方向に貫通するねじ挿入孔９、２つの側壁７から内側に個別に突出する装着壁１０、前壁６の下部および２つの側壁７の下部から内側に突出する支持壁１１を備えた、一体の形状に形成される。
【０００８】
検出躯体３は、合成樹脂により角柱として形成される。検出躯体３の前部には検出孔１３が上下方向に貫通し、検出躯体３の内部には検出素子１４と信号送信部１５とが設けられる。検出孔１３は、１個の球の直径よりは大きいが、１個の球の直径の２倍よりは小さな孔である。検出素子１４は検出コイル１７と検出回路１８とを備え、検出コイル１７が検出孔１３の周囲に配置され、検出回路１８が検出コイル１７の後部に配置される。そして、検出コイル１７が検出回路１８からの出力によって検出孔１３に電界を形成し、球が検出孔１３を通過することによって、検出孔１３における電界が変化し、この電界の変化を検出回路１８が球を電気的に検出した球検出信号として作成して信号送信部１５に出力する。信号送信部１５は、信号変換回路１９とアンテナ２０とを備える。
【０００９】
信号変換回路１９は、検出回路１８から入力された球検出信号を無線信号に変換し、アンテナ２０が変換された無線信号を検出躯体３の一側面の後部に形成された放出孔２１から外部に放射する。検出回路１８には、電力の供給を受けるための＋極と−極とを個別に形成する入力電気端子２２が設けられる。入力電気端子２２の後端は、検出躯体３の後面に突出する。検出躯体３の上下方向と直交する方向で相対峙する２つの側面には、取付溝２３が、検出孔１３と検出回路１８との間に対応する位置に形成される。検出躯体３の後部で上下方向に相対峙する上下面には、係合部２４が、入力電気端子２２の間の中央に対応する位置に設けられる。係合部２４は、検出躯体３の上下面および後面から内部に窪む案内溝２５と、案内溝２５の前側で案内溝２５よりも深く検出躯体３の内部に窪む受溝２６とを備える。
【００１０】
電源躯体４は、検出躯体３に着脱自在に取り付けられるものであって、合成樹脂製の短角柱に形成される。電源躯体４の内部には、ボタン電池により形成された電源２８、電源２８の＋極および−極に個別に接続された出力電気端子２９を備える。電源躯体４の前面には、端子孔３０および係合部３１が設けられる。端子孔３０は、検出躯体３の入力電気端子２２と対応する位置に設けられ、検出躯体３と電源躯体４とが組み合わせられる場合、検出躯体３から突出した入力電気端子２２を嵌め込んで出力電気端子２９に接続させる部分である。係合部３１は、検出躯体３と電源躯体４とが組み合わせられる場合、検出躯体３の係合部２４に嵌め込まれる部分であって、電源躯体４における前面の上下中央から前側に個別に突出する横片３２と、横片３２の先端に設けられたフック３３とを備える。上側の横片３２に設けられたフック３３は横片３２から下方に突出し、下側の横片３２に設けられたフック３３は横片３２から上方に突出する。
【００１１】
取付躯体２と検出躯体３および電源躯体４は次のように組み立てられる。検出躯体３の前部が取付躯体２における前壁６と２つの側壁７と装着壁１０と支持壁１１とで囲まれた空間に配置され、取付躯体２の装着壁１０と検出躯体３の取付溝２３とが互いに嵌め合わされることによって、取付躯体２と検出躯体３とが互いに組み合わされる。このように取付躯体２と検出躯体３とが互いに組み合わされた場合、検出躯体３は、支持壁１１で受け止められ、検出躯体３の下方に抜けない。電源躯体４における２つのフック３３が検出躯体３における２つの案内溝２５に後方から挿入されるのに伴い、２つの横片３２が案内溝２５に配置され、フック３３が案内溝２５から受溝２６に落とし込まれ、検出躯体３における２つの係合部２４と電源躯体４における２つの係合部３１とが互いに係合し、検出躯体３から後方に突出した２つの入力電気端子２２が電源躯体４の２つの端子孔３０に挿入されて２つの出力電気端子２９に接続される。
【００１２】
図１のｂ図を参照し、球検出器１が遊技盤３５に取り付けられた構造について説明する。遊技盤３５には、検出躯体３を挿入するための逃孔３６が前後方向に貫通して形成される。取付躯体２に組み付けられた検出躯体３の後部が遊技盤３５の前側から逃孔３６に挿入され、木ねじのような止ねじ３７が取付躯体２の前側から図１のａ図のねじ挿入孔９を経由して遊技盤３５に締結される。これによって、取付躯体２および検出躯体３が遊技盤３５に取り付けられ、検出躯体３のおける検出孔１３の形成された前部が遊技盤３５の前面である遊技領域４３より前側に突出し、検出躯体３の後部が遊技盤３５の裏面から裏側に突出する。このように、検出躯体３が取付躯体２で遊技盤３５に取り付けられ、検出素子１４と信号送信部１５とが電源２８からの電力で駆動した状態において、球が遊技領域４３から検出孔１３を通過すると、検出素子１４が電気的な検出信号を信号送信部１５に出力し、信号送信部１５が検出信号を電波による無線信号としてアンテナ２０から放出孔２１を経由して遊技盤３５の裏面における検出躯体３の外部に放射する。
【００１３】
要するに、球検出器１が、取付躯体２と検出躯体３と検出孔１３と検出素子１４と信号送信部１５および電源２８を備え、信号送信部１５が検出信号を電波による無線信号として放射するので、球検出器１が制御装置に配線で接続されて電気的に球を検出する動作を行う必要がないので、１台のパチンコ機において、球検出器１が５個から１０個と多くの個数が使用されても、球検出器１と制御装置とを結ぶ配線が不要であるという利点がある。取付躯体２および検出躯体３が遊技盤３５に取り付けられる前の時点または後の時点で、電源躯体４が検出躯体３に取り付けられてもよいが、上記のように検出躯体３の後部が遊技盤３５の裏面から裏側に突出していれば、取付躯体２および検出躯体３が遊技盤３５に取り付けられた後の時点において、電源躯体４を検出躯体３に容易に取り付けることができる。つまり、電池の電力が消耗した場合、取付躯体２および検出躯体３が遊技盤３５に取り付けられたまま、電力の電源躯体４を容易に交換することができるという利点がある。
【００１４】
図２は、発明を実施するための異なる形態である。図２のａ図は、球検出器１を分解して示す。図２のｂ図は、球検出器１を遊技盤３５に取り付けた平面を示す。
【００１５】
図２のａ図に示すように、異なる形態は、取付躯体２の前壁６に貫通孔３８が形成される。検出躯体３の前面には、光を電気に変換して出力する電源３９が設けられる。電源３９の＋極および−極が、検出躯体３の内部における検出コイル１７および信号変換回路１９の入力部における＋極および−極に個別に接続される。そして、図２のｂ図に示すように、検出躯体３が取付躯体２に取り付けられることによって、電源３９が、取付躯体２における前壁６と２つの側壁７と装着壁１０と支持壁１１とで囲まれた空間の方向から貫通孔３８に挿入され、電源３９の前面である受光面が貫通孔３８の前側に配置される。
【００１６】
したがって、異なる形態では、球検出器１が遊技盤３５に取り付けられ、遊技盤３５が遊技店にパチンコ機として設置された場合、電源３９が遊技店内における室内照明からの照明光を受け、電力を検出コイル１７および信号変換回路１９に供給し、検出回路１８が球検出信号を信号変換回路１９に出力し、信号変換回路１９が球検出信号を無線信号に変換し、アンテナ２０が無線信号を放出孔２１から外部に放射する。よって、遊技店内における室内照明する照明光を球検出に活用することができるという利点がある。
【００１７】
図３は、発明を実施するための異なる形態である。図３のａ図は、球検出器１を用いた遊技盤３５の正面を示す。図３のｂ図は、図３のａ図をＢ−Ｂ線に沿い切断した断面を示す。図３のａ図およびｂ図において、遊技盤３５は、方形な板状の前面における内ガイドレール４２と外ガイドレール４１とで囲まれた内側の遊技領域４３に、一般入賞部品４４、作動入賞部品４５、始動入賞部品４６、可変入賞部品４７、センター飾り４８、遊技釘４９、球戻り防止弁５０、球反発体５１、アウト口５２などの前部品を備え、内ガイドレール４２および外ガイドレール４１の外側の非遊技領域５３における右側の上下隅部にロック挿入孔５４を備え、非遊技領域５３における右側の下隅部に、証紙台５５を備え、左右側部に信号受信部５６を備える。内ガイドレール４２の左側部と外ガイドレール４１の左側部との間の隙間は、発射通路５８である。一般入賞部品４４、作動入賞部品４５、始動入賞部品４６は、遊技領域４３から入った球を遊技盤３５の裏側に排出することなく遊技領域４３に排出する、チャッカと呼ばれる、通過形の入賞部品になっている。
【００１８】
一般入賞部品４４は、遊技領域４３から球が入賞すると、賞球として定められた個数の球を遊技者に払い出す入賞部品である。作動入賞部品４５は、遊技領域４３から球が入賞すると、普通図柄表示器６０による図柄変動遊技を行わせる入賞部品であって、賞球として定められた個数の球を遊技者に払い出す場合と払い出さない場合とのいずれかである。始動入賞部品４６は、遊技領域４３から球が入賞すると、特別図柄表示器５９による図柄変動遊技を行わせる入賞部品であって、賞球として定められた個数の球を遊技者に払い出す場合と払い出さない場合とのいずれかである。
【００１９】
可変入賞部品４７は、遊技領域４３から入った球を遊技盤３５の裏側に排出する取込形の入賞部品であって、アタッカまたは大入賞口と呼ばれ、普通図柄変動遊技の結果として普通図柄表示器６０が当たり図柄を停止表示した場合、または、特別図柄変動遊技の結果として特別図柄表示器５９が当たり図柄を停止表示した場合、開閉体６１が所定回数または所定時間だけ開閉する大当たり遊技を行い、開閉体６１の開放中に、遊技領域４３から球が入賞すると、賞球として定められた個数の球を遊技者に払い出す入賞部品である。開閉体６１が閉じると、遊技領域４３から球が可変入賞部品４７に入賞しない。例えば、普通図柄表示器６０が当たり図柄を停止表示した場合には、開閉体６１が３秒間だけ１回開いて閉じ、その開閉体６１の開放中に可変入賞部品４７に取り込まれた球を特別入賞球検出器が検出すると、開閉体６１が上記３秒間の経過に伴い閉じた後に再び開く継続遊技を行うように設定されている。この普通図柄表示器６０の当たり図柄の停止に伴う継続遊技は、３回までとなっているが、開閉体６１の３秒間の開放中において、特別入賞球検出器が可変入賞部品４７に取り込まれた球を検出しなければ、各回において開閉体６１が閉じた時点で継続遊技は終了する。
【００２０】
特別図柄表示器５９が当たり図柄を停止表示した場合には、開閉体６１が５秒間だけ１回開いて閉じ、その開閉体６１の開放中に可変入賞部品４７に取り込まれた球を特別入賞球検出器が検出すると、開閉体６１が上記５秒間の経過に伴い閉じた後に再び開く継続遊技を行う。特別図柄表示器５９の当たり図柄の停止に伴う継続遊技は、１６回までとなっているが、開閉体６１の５秒間の開放中において、特別入賞球検出器が可変入賞部品４７に取り込まれた球を検出しなければ、各回において開閉体６１が閉じた時点で継続遊技は終了する。
【００２１】
一般入賞部品４４は、一般入賞球検出器６２を備える。一般入賞球検出器６２は、一般入賞部品４４に入った球を電気的に検出し、一般入賞検出信号を主制御装置に出力する。作動入賞部品４５は、作動入賞球検出器６３を備える。作動入賞球検出器６３は、作動入賞部品４５に入った球を電気的に検出し、作動入賞検出信号を主制御装置に出力する。始動入賞部品４６は、始動入賞球検出器６４を備える。始動入賞球検出器６４は、始動入賞部品４６に入った球を電気的に検出し、始動入賞検出信号を主制御装置に出力する。可変入賞部品４７は、特定入賞球検出器６５と普通入賞球検出器６６を備える。特定入賞球検出器６５は、継続入賞球検出器とも呼ばれ、可変入賞部品４７に入った球を電気的に検出し、特定入賞検出信号を主制御装置に出力する。普通入賞球検出器６６は、可変入賞部品４７に入った球を電気的に検出し、普通入賞検出信号を主制御装置に出力する。一般入賞球検出器６２、作動入賞球検出器６３、始動入賞球検出器６４、特定入賞球検出器６５、普通入賞球検出器６６は、図１または図２に示す球検出器１に相当し、一般入賞検出信号、作動入賞検出信号、始動入賞検出信号、特定入賞検出信号、普通入賞検出信号などの電気的な検出信号を無線信号として信号受信部５６に向けて放射する。
【００２２】
センター飾り４８は、光を遮断する合成樹脂からなり、上部に特別図柄視認窓６７、下部に普通図柄視認窓６８を備える。特別図柄視認窓６７および普通図柄視認窓６８は、センター飾り４８の裏面に設けられた光を透過する物性の有る無色な透過性パネルで塞がれている。透過性パネルの裏側には、画像表示器からなる特別図柄表示器５９と画像表示器からなる普通図柄表示器６０とを備える。特別図柄表示器５９の画面に表示された特別図柄は、遊技盤３５の前側から透過性パネルを経由して人に視認される。普通図柄表示器６０の画面に表示された普通図柄は、遊技盤３５の前側から透過性パネルを経由して人に視認される。証紙台５５の前面には、遊技盤３５の検査に合格して販売の認可を受けたことを証明する証紙が、貼り付けられる。遊技盤３５の裏面には、集合樋６９が取り付けられる。集合樋６９は、可変入賞部品４７やアウト口５２から遊技盤３５の裏面に排出された球を集合樋６９の排出孔７０から下方に排出する。
【００２３】
要するに、遊技盤３５では一般入賞球検出器６２、作動入賞球検出器６３、始動入賞球検出器６４、特定入賞球検出器６５、普通入賞球検出器６６として球検出器１が使用され、遊技盤３５の側部に信号受信部５６が設けられているので、信号受信部５６が遊技盤３５を前側から内ガイドレール４２と外ガイドレール４１とで隠れる形態となる。よって、遊技者が図４に示す遊技機枠１０１の前側から信号受信部５６の存在を把握することができず、遊技者による不正行為も防止することができるという利点がある。遊技盤３５の側部に設けられた信号受信部５６が、球検出器１のアンテナ２０から無線信号として出力された検出信号だけを受信することが可能であって遊技盤３５の前側から信号受信部５６に向けて放射され電波を受信することが不可能である指向性を有するように形成されることによって、遊技者が遊技盤３５の前側から信号受信部５６に向けて不正に電波を放射しても、信号受信部５６が当該不正な電波で誤動作することがなく、遊技者による不正行為も防止することができるという利点がある。
【００２４】
図４乃至図７は、発明を実施するための異なる形態である。図４はパチンコ機における遊技盤３５と遊技機枠１０１と分解して前側から示す。図５は、可動枠１０３の裏側を示す。図６は、遊技盤３５を遊技機枠１０１に装着した横断面を示す。図７は、パチンコ機の正面を示す。
【００２５】
図４を参照し、パチンコ機について説明する。パチンコ機の遊技機枠１０１は、遊技店の島と呼ばれる図外の遊技機設置構造体に取り付けるための外枠と呼ばれる固定枠１０２を備える。固定枠１０２には、前枠または中枠と呼ばれるような可動枠１０３が、左側のヒンジ１０４で前側横方向に片開き可能にかつ着脱可能に取り付けられる。可動枠１０３は、前後方向に開放された縦長な長方形の空間を囲む額縁形状である。可動枠１０３には、パネル枠１０６および球皿構造体１０７が、左側に設けられるヒンジ１０８で前側横方向に片開き可能に取り付けられる。パネル枠１０６は、前後方向に開放された窓１０９を囲む額縁形状である。パネル枠１０６の裏面には、光透過性の前面パネル１１０が、窓１０９を塞ぐ格好で取り付けられる。
【００２６】
可動枠１０３の右側部には、施錠装置１１１とロック機構１１２；１１３；１１４が設けられる。可動枠１０３が、閉じられた場合、ロック機構１１２によって、固定枠１０２に、開閉不能に支持される。パネル枠１０６が、閉じられた場合、ロック機構１１３によって、可動枠１０３に、開閉不能に支持される。球皿構造体１０７が、閉じられた場合、ロック機構１１４によって、可動枠１０３に、開閉不能に支持される。可動枠１０３やパネル枠１０６および球皿構造体１０７が閉じられ、ロック機構１１２；１１３；１１４で開閉不能に支持された状態において、遊技店の店員が、図外のキープレート（鍵）を遊技機枠１０１の前側から施錠装置１１１の鍵穴１１５に挿入し、当該キープレートを例えば右側に９０度回転操作すると、固定枠１０２と可動枠１０３とのロック機構１１２による支持形態が解除される。この支持形態の解除後に、店員が、可動枠１０３を前側に引くことによって、可動枠１０３は、ヒンジ１０４を中心として前側に片開きされる。
【００２７】
上記施錠装置１１１の鍵穴１１５に挿入されたキープレートが、人によって例えば左側に９０度回転操作されると、可動枠１０３とパネル枠１０６とのロック機構１１３による支持形態が解除される。この支持形態の解除後に、店員が、パネル枠１０６を前側に引くことによって、パネル枠１０６は、ヒンジ１０８を中心として前側に片開きされる。このように、パネル枠１０６が、前側に開かれた状態において、店員が、可動枠１０３の前面のロック解除操作体１１６を操作すると、可動枠１０３と球皿構造体１０７とのロック機構１１４による支持形態が解除される。この支持形態の解除後に、店員が、球皿構造体１０７を前側に引くことによって、球皿構造体１０７は、ヒンジ１０８を中心として前側に片開きされる。球皿構造体１０７の前面には、球受皿部１１７と発射操作機構１１８とを備える。球受皿部１１７は、遊技に使用する球を受ける上方に開放された形態である。球皿構造体１０７の裏面には、球払出装置１３５から排出された球を球受皿部１１７に受け入れる球取入口１１９と、球受皿部１１７から発射機構１３１に球を供給する球供給口１２０とを備える。
【００２８】
可動枠１０３には遊技主体収納構造体１２１が設けられる。遊技主体収納構造体１２１は、前側に開放された遊技主体収納室１２２、遊技主体収納室１２２の後壁に形成された前後方向に貫通する中央開口部１２３を備える。遊技主体収納室１２２の左側部には、遊技盤３５を裏側から前側に押圧する板ばねにより構成された遊技主体押圧部１２４と、遊技主体押圧部１２４で前側に押された遊技盤３５を前側から受け止める遊技主体受部１２５とを備える。遊技主体収納室１２２の右側部には、遊技主体ロック部材１２６を備える。遊技主体ロック部材１２６は、遊技主体収納構造体１２１から前側に突出する台座の中心にロック操作部１２７を回転可能に備える。ロック操作部１２７は、台座から前側に突出した操作軸の端部に固定された横長な形態である。
【００２９】
遊技主体収納室１２２の下縁部は、遊技盤３５の下部を搭載する左右方向に平坦な面としての遊技主体棚１２８を構成する。遊技主体棚１２８の裏側には、球機外排出樋１２９が設けられる。球機外排出樋１２９は、集合樋６９から下方に排出された球を可動枠１０３から図外の遊技機設置構造体における球捕集機構に向けて排出する通路を遊技主体棚１２８の裏側に形成する。遊技主体棚１２８の前縁から下方に延設された前壁１３０の前面には、発射機構１３１、発射レール１３２、ファール球取入口部１３３、前横樋１３４を備える。
【００３０】
発射機構１３１は、電力供給と遮断とを交互に受けることによって、球受皿部１１７から発射レール１３２に供給された１個の球を遊技盤３５の遊技領域４３に向けて発射する。発射レール１３２は、球皿構造体１０７の球供給口１２０から供給された１個の球を受け取り、この受け取った球が発射機構１３１で発射されると、この発射された球を、遊技盤３５における発射通路５８の入口に誘導する。ファール球取入口部１３３は、遊技盤３５の発射通路５８から落下する球を取り込む。前横樋１３４は、可動枠１０３の裏部に取り付けられた球払出装置１３５から払い出された球とファール球取入口部１３３から排出された球とを、遊技機枠１０１の裏側から排出される球として、遊技機枠１０１の前側の球皿構造体１０７に排出するための球取入口１１９に誘導する。
【００３１】
この遊技機枠１０１に取り付けられる遊技盤３５は、遊技領域４３が光透過性合成樹脂からなる板状構造体により形成され、特別図柄表示器５９および普通図柄表示器６０が遊技盤３５から取り外された点が、図３に示す遊技盤３５と異なる。遊技盤３５の遊技領域４３が前側に向けられ、遊技盤３５が遊技機枠１０１の前側から遊技主体収納室１２２に挿入され、遊技盤３５の下部が遊技主体棚１２８の上に載せられ、遊技盤３５の左側部が遊技主体押圧部１２４と遊技主体受部１２５との間に挿入されて前後方向から挟まれた後、遊技盤３５の右側部が作業者によって後側に押され、遊技主体ロック部材１２６のロック操作部１２７が遊技盤３５のロック挿入孔５４に後側から挿入されて前側に突出した状態において、作業者がロック操作部１２７を例えば右方向に９０度回転操作すると、ロック操作部１２７がロック挿入孔５４の周りにおける遊技盤３５と係合し、遊技盤３５が可動枠１０３に取り付けられる。
【００３２】
図５を参照し、可動枠１０３の裏側の構造について説明する。可動枠１０３の裏部、具体的には、遊技主体収納構造体１２１の裏面には、球払出装置１３５、画像表示装置１５４、電源装置１３７、発射払出制御装置１３８が設けられる。球払出装置１３５は、タンク構造体１３９、球払出機構１４０、縦樋１５０を備える。タンク構造体１３９および球払出機構１４０は、遊技主体収納構造体１２１における中央開口部１２３よりも上部の位置で左右に並べられ、遊技主体収納構造体１２１の裏面に取り付けられる。タンク構造体１３９から球払出機構１４０に球が供給されている状態において、球払出機構１４０の払出体１５１がモータで一方向に回転駆動されると、払出体１５１が球を１個ずつ分離しつつ賞球または貸球として払い出し、払出球検出器が払出体１５１から払い出された球を電気的に検出して払出球検出信号を主制御装置および発射払出制御装置１３８に出力する。
【００３３】
縦樋１５０は、払出球検出器を通過して球払出機構１４０から下部に排出された球を下部の満タン検出装置１５３に排出する通路である。満タン検出装置１５３は、縦樋１５０の真下でかつ遊技主体収納構造体１２１における中央開口部１２３よりも下部の位置で遊技主体収納構造体１２１の裏面に取り付けられる。満タン検出装置１５３の出口は、前横樋１３４に接続される。よって、球払出装置１３５から払い出された球は、満タン検出装置１５３および前横樋１３４を経由して図４に示す球皿構造体１０７の球受皿部１１７に払い出される。
【００３４】
満タン検出装置１５３は、内部に満タン検出器を備え、球受皿部１１７から前横樋１３４および満タン検出器まで球が満杯となると、球払出機構１４０による払出動作を停止するために、満タン検出器が満杯となった球でオン動作して電気的な満杯検出信号を主制御装置に出力し、満杯検出信号を受信した主制御装置は球払出停止信号を発射払出制御装置１３８に出力し、発射払出制御装置１３８が球払出機構１４０のモータの駆動を停止する。これによって、球払出機構１４０による払出動作が停止する。
【００３５】
画像表示装置１５４は、前側に四角形に開口した箱形の表示筐体１５５の内部に図外の画像制御装置と画像表示器１５６とを格納し、画像表示器１５６の表示画面１５７を表示筐体１５５の開口部１５８の方向に向け、図外の画像制御装置と画像表示器１５６とを表示筐体１５５の内部に取り付けた構造である。画像表示器１５６が液晶表示器の場合、バックライトや導光部材および拡散部材などのような画像表示器１５６の表示画面１５７を全体的に照明するバックライト機構部材が、画像表示器１５６に含まれる。表示筐体１５５はヒンジ１５９で遊技主体収納構造体１２１に取り付けられる。図５の状態において、画像表示装置１５４の表示画面１５７が中央開口部１２３の方向に向くように、画像表示装置１５４が閉じられるのに伴い、表示筐体１５５の開口部１５８が中央開口部１２３と対向し、表示筐体１５５に設けられた固定具１６０が遊技主体収納構造体１２１に設けられた表示取付部１６１に装着されることによって、画像表示装置１５４が遊技主体収納構造体１２１の裏面に固定される。表示筐体１５５の左右側壁には通信用孔１６２が形成される。電源装置１３７は、遊技機設置構造体に設けられる島電源装置から供給される２４ボルトの交流電源をパチンコ機に使用する例えば５ボルト、１２ボルト、２４ボルトなどの電圧の直流電源に変換して出力するとともに２４ボルトの交流電源もそのまま出力する機能を備え、遊技主体収納構造体１２１の裏側の右側に位置し、前壁１３０の裏面に取り付けられる。
【００３６】
図６を参照し、画像表示装置１５４が可動枠１０３に閉じられ固定具１６０（図５参照）で固定され、遊技盤３５が可動枠１０３に取り付けられ、パネル枠１０６が可動枠１０３に閉じられロック機構１１３（図４参照）で固定された構造について説明する。画像表示装置１５４が可動枠１０３に閉じられ固定具１６０で固定され、遊技盤３５が可動枠１０３に取り付けられ、パネル枠１０６が可動枠１０３に閉じられロック機構１１３で固定されることによって、画像表示装置１５４の前側に遊技盤３５および集合樋６９（図４参照）が非接触に配置され、遊技盤３５の裏面と画像表示器１５６の表示画面１５７とが平行な状態で前後に離れている。遊技盤３５における一般入賞球検出器６２と作動入賞球検出器６３と始動入賞球検出器６４および図３の特別入賞球検出器６５ならびに普通入賞球検出器６６の裏側が表示画面１５７から離れている。一般入賞球検出器６２と作動入賞球検出器６３と始動入賞球検出器６４および特別入賞球検出器６５ならびに普通入賞球検出器６６から放射された電気的な無線信号として検出信号が、通信用孔１６２を通過し、信号受信部５６で受信される。また、遊技者が遊技盤３５の前側から信号受信部５６に向けて不正に電波を放射しても、当該不正な電波の大半が遊技盤３５の前側を覆う前面パネル１１０やパネル枠１０６で前側に反射され、不正な電波の一部が前面パネル１１０を透過しても、信号受信部５６が一般入賞球検出器６２と作動入賞球検出器６３と始動入賞球検出器６４および特別入賞球検出器６５ならびに普通入賞球検出器６６から無線信号として出力された検出信号だけを受信することが可能であって遊技盤３５の前側から信号受信部５６に向けて放射され電波を受信することが不可能である指向性を有するように形成されているので、信号受信部５６が上記前面パネル１１０を透過した不正な電波の一部で誤動作することがなく、遊技者による不正行為も防止することができるという利点がある。また、集合樋６９は、表示筐体１５５の開口部１５８の下方で中央開口部１２３（図４参照）で囲まれた下部空間に配置される。
【００３７】
そして、図７に示すように、遊技盤３５が取り付けられた後、球皿構造体１０７が閉じられ、可動枠１０３が閉じられる。その状態において、図５の電源装置１３７が供給された交流電源を直流電源に変換し、変換した直流電源を発射払出制御装置１３８、図外の主制御装置、図外の複合制御装置、図外の表示駆動回路装置、図外の図柄制御装置に供給する。これによって、図５において、図柄制御装置が主制御装置からの指示によって画像表示器１５６を駆動し、画像表示器１５６が電気的に画像を表示画面１５７に表示し、遊技機枠１０１の前側から遊技者が、表示画面１５７に映し出された画像を、閉じられたパネル枠１０６の前面パネル１１０と遊技盤３５の光透過性合成樹脂製の板状構造体からなる遊技領域４３を通して見ることができる。
【００３８】
また、図７において、遊技者が球皿構造体１０７の球受皿部１１７に球を入れて発射操作機構１１８を操作すると、図５の発射払出制御装置１３８が発射機構１３１を発射操作機構１１８から出力された操作量に応じた発射力で例えば１分間に１から１００発未満までの所定数の間隔で駆動し、発射機構１３１が球受皿部１１７から図４の発射レール１３２に供給された球を１個ずつ遊技盤３５の発射通路５８に向けて発射する。この発射通路５８に発射された球が、発射通路５８から球戻り防止弁５０を押し開けて遊技領域４３に到達した後に遊技領域４３を流下する過程において、可変入賞部品４７に入賞した球が遊技盤３５の裏側に排出される一方、球が一般入賞部品４４や作動入賞部品４５または始動入賞部品４６あるいは可変入賞部品４７に入賞すると、一般入賞部品４４や始動入賞部品４６あるいはそれぞれの入賞に対応する賞球としての球が、球払出装置１３５（図５参照）から球受皿部１１７に払い出される。可変入賞部品４７に入賞しないで遊技領域４３の最下部に流れた球は、アウト口５２に取り込まれた遊技盤３５の裏側に排出される。これによって、遊技者は、図５の画像表示器１５６の表示画面１５７に映し出された画像を遊技領域４３の全域に見ながら遊技領域４３に行き交う球の動きを見ることができる。
【００３９】
また、遊技盤３５の遊技領域４３に発射された球が作動入賞部品４５に入賞し、作動入賞球検出器６３が作動入賞信号を主制御装置に出力すると、主制御装置が作動入賞に対する当たり外れの抽選を実行し、その抽選結果を記憶するとともに、普通図柄変動開始を図柄制御装置に出力し、図柄制御装置がセンター飾り４８の画像表示器１５６における表示画面１５７の普通図柄視認窓６８と対応する部分に普通図柄を可変表示するように画像表示器１５６を制御し、普通図柄変動開始から所定時間が経過した後、上記記憶した抽選結果を反映すべく普通図柄を停止して表示する。そして、普通図柄が当たりで停止表示されると、主制御装置は可変入賞部品４７の開閉体６１を開閉するように開閉体６１の駆動源を制御する。また、遊技盤３５の遊技領域４３に発射された球が始動入賞部品４６に入賞し、始動入賞球検出器６４が始動入賞信号を主制御装置に出力すると、主制御装置が始動入賞に対する当たり外れの抽選を実行し、その抽選結果を記憶するとともに、特別図柄変動開始を図柄制御装置に出力し、図柄制御装置がセンター飾り４８の図５の画像表示器１５６における表示画面１５７の特別図柄視認窓６７と対応する部分に特別図柄を可変表示するように画像表示器１５６を制御し、特別図柄変動開始から所定時間が経過した後、上記記憶した抽選結果を反映すべく特別図柄を停止して表示する。そして、特別図柄が当たりで停止表示されると、主制御装置は可変入賞部品４７の開閉体６１を開閉するように開閉体６１の駆動源を制御する。
【００４０】
要するに、遊技盤３５に一般入賞球検出器６２、作動入賞球検出器６３、始動入賞球検出器６４、特定入賞球検出器６５、普通入賞球検出器６６として球検出器１が使用され、遊技領域４３が光透過性合成樹脂からなる板状構造体により形成されているので、遊技者が画像表示器１５６の表示画面１５７に映し出された画像を遊技領域４３の全域に見ながら遊技領域４３に行き交う球の動きを適切に見ることができるという利点がある。
【産業上の利用可能性】
【００４１】
電源２８を電源躯体４に内蔵し、電源２８の電力が消耗した場合、電源躯体４を交換するようにしたが、電源躯体４に開閉可能な蓋を設け、当該蓋で開閉される電源躯体４の内部の電池室に電源２８を入れ替えるようにしてもよい。電源躯体４と検出躯体３とを着脱可能な構造としたが、電源躯体４と検出躯体３とを一体に構成してもよい。アンテナ２０に置換して発光素子を設け、発光素子から光による無線信号を放射してもよい。この場合、発光素子から放射される光として画像表示器１５６の表示画面１５７に映し出された画像の光と周波数の異なる赤外線や紫外線などのような光を使用すれば、表示画面１５７に映し出された画像の光の外乱を受けることなく、発光素子から放射される光による無線信号を信号受信部５６で適切に受信することができる。
【図面の簡単な説明】
【００４２】
【図１】ａ図は球検出器を示す分解斜視図、ｂ図は球検出器を遊技盤に取り付けた場合の平面図（最良の形態）。
【図２】ａ図は球検出器を示す分解斜視図、ｂ図は球検出器を遊技盤に取り付けた場合の平面図（異なる形態）。
【図３】ａ図は球検出器を用いた遊技盤を示す正面図、ｂ図は図３のａ図のＢ−Ｂ線断面図（異なる形態）。
【図４】遊技盤と遊技機枠とを前側から示す分解斜視図（異なる形態）。
【図５】可動枠を裏側から示す斜視図（異なる形態）。
【図６】遊技盤を遊技機枠に装着した横断面図（異なる形態）。
【図７】パチンコ機を示す正面図（異なる形態）。
【符号の説明】
【００４３】
１      球検出器
２      取付躯体
３      検出躯体
４      電源躯体
１３    検出孔
１４    検出素子
１５    信号送信部
２８    電源
３５    遊技盤
１０１  遊技機枠
【図１】
2006087613.tif 000003
【図２】
2006087613.tif 000004
【図３】
2006087613.tif 000005
【図４】
2006087613.tif 000006
【図５】
2006087613.tif 000007
【図６】
2006087613.tif 000008
【図７】
2006087613.tif 000009